(57)【特許請求の範囲】
【請求項１】
使用者が把持する電気かみそり本体と、該電気かみそり本体の端部に配設される外刃と、該外刃の内方に配設されて前記外刃の長手方向に沿って往復移動する内刃と、を備え、前記外刃は桟によって刃穴が画成され、前記刃穴に体毛を挿入させ、前記外刃と内刃で体毛を切断する電気かみそりであって、
前記外刃の桟に、外刃が肌面上を移動する際に体毛に当接して肌面に対して体毛を起立させる起毛部を設けると共に、
前記外刃の領域のうち、外刃と肌面との接触圧が高い部位における前記体毛を起立させる起毛力を、接触圧が低い部位における起毛力よりも小さく設定し、
前記桟は、前記外刃の長手方向に沿って延設される長手方向桟と、前記長手方向に交差する短手方向に沿って延設される短手方向桟とからなり、前記長手方向桟に起毛部を設け、
前記外刃は側面視逆Ｕ字状に湾曲して形成され、前記外刃と肌面との接触圧が高い部位は、その頂部であり、前記外刃と肌面との接触圧が低い部位は、前記頂部の短手方向外側の外側部であり、
前記起毛部を、前記外刃の長手方向桟における短手方向の両端に形成したことを特徴とする電気かみそり。
【請求項２】
前記外刃の長手方向桟における短手方向端を先細り状の起毛部に形成し、
前記外刃と肌面との接触圧が高い部位における長手方向桟の短手方向端の曲率半径を、接触圧が低い部位における長手方向桟の短手方向端の曲率半径よりも大きく設定したことを特徴とする請求項１に記載の電気かみそり。
【請求項３】
前記長手方向桟の表面を短手方向桟の表面よりも電気かみそり本体側に近づけることによって、前記長手方向桟と短手方向桟とをオフセット配置させると共に、
前記外刃と肌面との接触圧が高い部位における長手方向桟の短手方向端の表面と短手方向桟の表面との距離を、前記外刃と肌面との接触圧が低い部位における長手方向桟の短手方向端の表面と短手方向桟の表面との距離よりも大きく設定したことを特徴とする請求項１または２に記載の電気かみそり。
【請求項４】
前記外刃と肌面との接触圧が高い部位における長手方向桟の短手方向端のテーパの開き角度を、接触圧が低い部位における長手方向桟の短手方向端のテーパの開き角度よりも大きく設定したことを特徴とする請求項２または３に記載の電気かみそり。
【請求項５】
前記長手方向桟における短手方向端を短手方向中央よりも電気かみそり本体から離間させた屈曲部を起毛部とすることにより、長手方向桟の全体の断面形状を略Ｕ字状に形成し、前記屈曲部の表面に短手方向に対する逃げ角を設け、
前記外刃と肌面との接触圧が高い部位における前記逃げ角を、前記外刃と肌面との接触圧が低い部位における前記逃げ角よりも小さく設定したことを特徴とする請求項１〜３のいずれか１項に記載の電気かみそり。
【請求項６】
前記長手方向桟における長手方向端部は断面略直線状に形成し、長手方向中央部に前記屈曲部を設け、これらの長手方向端部と長手方向中央部との境界部をなだらかに湾曲させて連結させたことを特徴とする請求項５に記載の電気かみそり。
【請求項７】
前記外刃と肌面との接触圧が高い部位における長手方向桟の短手方向端には逃げ角を設けず、接触圧が低い部位における長手方向桟の短手方向端に逃げ角を設けたことを特徴とする請求項５または６に記載の電気かみそり。
【発明の詳細な説明】
【技術分野】
【０００１】
本発明は、電気かみそりに関する。更に詳しくは、肌面に対する角度が小さい体毛を起こす起毛作用を有する起毛部を設けた電気かみそりに関する。
【背景技術】
【０００２】
従来から、体毛を剃る種々の電気かみそりが開発されている。ここで、体毛の延びている方向と肌面とのなす角度は起毛角と呼ばれているが、起毛角が大きい（例えば、４５°〜６０°）体毛は剃りやすいが、起毛角が小さい（例えば、３０°以下）体毛は剃りにくいという問題がある。この起毛角が小さい体毛に対して、体毛を起こす起毛部を設けた電気かみそりが開発されている（例えば、特許文献１参照）。
【先行技術文献】
【特許文献】
【０００３】
【特許文献１】特許第３０８３５４８号公報
【発明の概要】
【発明が解決しようとする課題】
【０００４】
ところで、前記特許文献１によれば、肌面に接触する接触圧の大きい部位と小さい部位とで、同じ起毛力を有する起毛部を配置しているため、接触圧の大きい部位の起毛部によって肌面にダメージを与えるおそれがあった。
【０００５】
そこで、本発明は、肌面に対する影響を抑制しつつ、体毛を効率的に起毛させることができる電気かみそりを提供することを目的とする。
【課題を解決するための手段】
【０００６】
前記課題を解決するため、本発明に係る電気かみそりは、使用者が把持する電気かみそり本体と、該電気かみそり本体の端部に配設される外刃と、該外刃の内方に配設されて前記外刃の長手方向に沿って往復移動する内刃と、を備え、前記外刃は桟によって刃穴が画成され、前記刃穴に体毛を挿入させ、前記外刃と内刃で体毛を切断する電気かみそりであって、前記外刃の桟に、外刃が肌面上を移動する際に体毛に当接して肌面に対して体毛を起立させる起毛部を設けると共に、前記外刃の領域のうち、外刃と肌面との接触圧が高い部位における前記体毛を起立させる起毛力を、接触圧が低い部位における起毛力よりも小さく設定し、前記桟は、前記外刃の長手方向に沿って延設される長手方向桟と、前記長手方向に交差する短手方向に沿って延設される短手方向桟とからなり、前記長手方向桟に起毛部を設け、前記外刃は側面視逆Ｕ字状に湾曲して形成され、前記外刃と肌面との接触圧が高い部位は、その頂部であり、前記外刃と肌面との接触圧が低い部位は、前記頂部の短手方向外側の外側部であり、前記起毛部を、前記外刃の長手方向桟における短手方向の両端に形成したことを特徴とする。
【発明の効果】
【０００７】
本発明に係る電気かみそりによれば、肌面との接触圧が高い部位の起毛力を、接触圧が低い部位の起毛力よりも小さくすることにより、肌面との接触圧が高い部位の起毛部が肌面に与える影響（ダメージ）を抑制することができる。また、肌面との接触圧が低い部位については、肌面に与える影響がもともと低いため、起毛力を高めて効率的な起毛を行うことができる。なお、起毛角が小さい体毛について、電気かみそり本体を肌面上を移動させるという簡単な動作で自動的に起毛させることができる。
【図面の簡単な説明】
【０００８】
【図１】本発明の実施形態による電気かみそりを示す正面図である。
【図２】内刃を示す斜視図である。
【図３】上側ハウジングを示す斜視図である。
【図４】外刃を側方から見た概略図である。
【図５】外刃の一部を拡大した斜視図である。
【図６】（ａ）は図５のＡ−Ａ線による断面図、（ｂ）は短手方向端の拡大断面図である。
【図７】（ａ）は図５のＢ−Ｂ線による断面図、（ｂ）は起毛部の拡大断面図である。
【図８】図７の長手方向桟周辺を拡大した斜視図である。
【図９】図８のＣ−Ｃ線による拡大断面図である。
【図１０】変形例１による長手方向桟であり、（ａ）は頂部における断面図、（ｂ）は外側部における断面図である。
【図１１】変形例２による長手方向桟の断面図である。
【図１２】変形例３による長手方向桟の断面図である。
【図１３】変形例４による長手方向桟の断面図である。
【図１４】変形例５による長手方向桟の断面図である。
【図１５】変形例６による長手方向桟の断面図である。
【図１６】変形例７による長手方向桟の断面図である。
【発明を実施するための形態】
【０００９】
以下、本発明を適用した具体的な実施の形態について図面を参照しながら詳細に説明する。
【００１０】
図１は本発明の実施形態による電気かみそりを示す正面図、図２は内刃を示す斜視図、図３は上側ハウジングを示す斜視図である。
【００１１】
図１に示すように、本実施形態による電気かみそり１は、使用者が把持する下側ハウジング７と、該下側ハウジング７に連結された上側ハウジング５と、該上側ハウジング５の先端に設けられた主刃４とを備えている。下側ハウジング７には、押圧式のスイッチが配置され、これらのおよび下側ハウジング７で電気かみそり本体３が構成される。また、図１，２に示すように、前記主刃４は、外方に配置された外刃１１と、該外刃１１の内方に配置され、長手方向２３（図３参照）に往復移動する内刃１３とからなる。
【００１２】
そして、図３に示すように、上側ハウジング５には、ハウジング本体１５と、該ハウジング本体１５の上端に配置された第１の外刃１７、第２の外刃１９、第３の外刃２１とが設けられている。これらの第１〜第３の外刃１７，１９，２１からなる外刃１１は長手方向２３に沿って延びており、短手方向の両端には第１の外刃１７と第３の外刃２１とが配置され、これらの第１の外刃１７と第３の外刃２１との間には第２の外刃１９が配置されている。
【００１３】
図４は、外刃を側方から見た概略図である。
【００１４】
外刃１１を側方から見ると逆Ｕ字状に湾曲して形成され、最も高い部位に位置する頂部２７は、肌面との接触圧が大きくなり、頂部２７の短手方向両側の外側に位置する外側部２９は、頂部２７よりも肌面との接触圧が小さくなる。
【００１５】
図５は外刃の一部を拡大した斜視図、図６（ａ）は図５のＡ−Ａ線による断面図、（ｂ）は短手方向端の拡大断面図、図７（ａ）は図５のＢ−Ｂ線による断面図、（ｂ）は起毛部の拡大断面図である。なお、本実施形態では、外刃１９について詳細に説明する。
【００１６】
図５における一点鎖線は頂部２７の短手方向の中心を通る中心線である。図５に示すように、短手方向２５に沿って短手方向桟３５が延びており、長手方向２３に沿って長手方向桟３１，３３が延びており、これらの桟３５，３１，３３によって平面視略六角状の刃穴３６が画成されている。この刃穴３６は、体毛が挿入可能な大きさに形成されている。また、頂部２７には、図６に示す断面形状の長手方向桟３１が配置され、外側部２９には、図７に示す長手方向桟３３が配置されている。
【００１７】
図６（ａ）（ｂ）のように、長手方向桟３１は、断面略平板状に形成され、短手方向端３９は、曲率半径Ｒ１の断面半円状に形成されている。このＲ１は、例えば１０μｍが好ましい。ここで、長手方向桟３１の表面４１は短手方向桟３５の表面３７よりも電気かみそり本体側に近づけており、長手方向桟３１の表面４１と短手方向桟３５の表面３７との上下距離はＬ１に設定されている。
【００１８】
一方、図７（ａ）のように、長手方向桟３３は、断面略Ｕ字状に形成されている。具体的には、短手方向中央４９は平面に形成され、この短手方向中央４９から短手方向の両端に向かうにつれて上方に屈曲して延びる屈曲部４７が設けられ、この短手方向端が先細り形状の起毛部４５になっている。この起毛部４５は、肌面とのなす角度が小さい体毛を起こす作用を有する。また、屈曲部４７のうち上側の面は傾斜上面５１であり、下側の面は傾斜下面５３になっている。即ち、長手方向桟３３は、短手方向中央４９、傾斜上面５１、傾斜下面５３、底面５５によって画成されている。また、屈曲部４７の短手方向端４３と短手方向桟３５の表面３７との上下距離はＬ２に設定されており、Ｌ２<Ｌ１の大小関係でオフセット配置されている。このＬ１とＬ２との差は、例えば１０μｍが好ましい。さらに、図７（ｂ）に示すように、屈曲部４７の短手方向端４３は、曲率半径Ｒ２の断面半円状に形成されており、Ｒ２<Ｒ１の大小関係に設定されている。このＲ２は、例えば３μｍが好ましい。ここで、二点鎖線で示す短手方向の基準線５７と傾斜上面５１とのなす逃げ角度αは、前述した図６（ａ）のように長手方向桟３１の表面４１と短手方向の基準線５７とのなす逃げ角度（０°）よりも大きく設定されている。即ち、本実施形態に係る長手方向桟３１，３３では、頂部２７に配置された長手方向桟３１には逃げ角度を設けず、外側部２９に配置された長手方向桟３３には逃げ角度を設けている。
【００１９】
図８は別の実施形態に係る長手方向桟を拡大した斜視図、図９は図８のＣ−Ｃ線による拡大断面図である。
【００２０】
これらの図８，９に示すように、別の実施形態に係る長手方向桟１３３の長手方向端部６１は、短手方向桟３５の側壁面５９から長手方向に向けて断面略直線状に延びており、長手方向端部６１と長手方向中央部６３とは、境界部６５を介してなだらかに湾曲して連結されている。この境界部６５の曲率半径は例えば１０μｍが好ましい。即ち、図５に示す長手方向桟３３では、長手方向桟３３の長さ方向全体に亘って起毛部４５（図７参照）が形成されている。しかし、図８，９に示す長手方向桟１３３では、起毛部４５（屈曲部４７）は、短手方向桟３５の側壁面５９からではなく、長手方向桟１３３の長手方向中央部（途中部）のみに形成されている。
【００２１】
図１０は、変形例１による長手方向桟であり、（ａ）は頂部における断面図、（ｂ）は外側部における断面図である。
【００２２】
本発明においては、前述した長手方向桟３３，１３３以外にも種々の形状をなす変形例が適用できる。まず、変形例１による長手方向桟７１，７９について説明する。
【００２３】
図１０（ａ）に示すように、頂部に配設される長手方向桟７１は、上面７３が平坦に形成され、短手方向端に起毛部７７が形成されている。また、上面７３と傾斜面７５とのテーパの開き角度がβ１に設定されている。一方、図１０（ｂ）に示すように、外側部に配設される長手方向桟７９は、上面８１が平坦に形成され、短手方向端に起毛部８５が形成されている。また、上面８１と傾斜面８３とのテーパの開き角度がβ２に設定されている。ここで、β２<β１の大小関係に設定されており、β１は例えば７０°が好ましく、β２は例えば２０°が好ましい。
【００２４】
図１１は、変形例２による長手方向桟の断面図である。
【００２５】
この長手方向桟８７は、平板状に形成され、短手方向端が半円状の起毛部８９に設定されている。このように、平板状であっても、例えば、短手方向桟３５の表面３７との上下距離を頂部と外側部とで変えることにより採用可能である。
【００２６】
図１２は、変形例３による長手方向桟の断面図である。
【００２７】
この長手方向桟９１は、前述した図１０に似ているが、上面９３が上側に凸状に湾曲している点が異なる。短手方向端が半円状の起毛部９３に設定されている。
【００２８】
図１３は、変形例４による長手方向桟の断面図である。
【００２９】
この長手方向桟１０３は、本体部１０４の上面１０６における短手方向両端に一対の起毛部１０５，１０５が設けられている。なお、上面１０６は平坦面に形成されている。
【００３０】
図１４は、変形例５による長手方向桟の断面図である。
【００３１】
この長手方向桟１０７は、本体部１１３の短手方向両端に一対の起毛部１０９，１０９が設けられており、下端部に下方に延びる突出部１１１が形成されている。
【００３２】
図１５は、変形例６による長手方向桟の断面図である。
【００３３】
この長手方向桟１１５は、本体部１１９の短手方向両端に一対の起毛部１１７，１１７が設けられており、下端部に下方に延びる突出部１２１が形成されている。このように、長手方向桟１１５は断面略Ｔ字状に形成されている。
【００３４】
図１６は、変形例７による長手方向桟の断面図である。
【００３５】
この長手方向桟１１５は、本体部１２７の短手方向両端に一対の起毛部１２５，１２５が設けられており、下端部に下方に延びる突出部１２９が形成されると共に、突出部１２９の下端には短手方向両側に延びる断面三角状の延設部１３１，１３１が形成されている。このように、長手方向桟１１５は断面略エ字状に形成されている。
【００３６】
以下に、本実施形態による作用効果を説明する。
【００３７】
（１）使用者が把持する電気かみそり本体３と、該電気かみそり本体３の端部に配設される外刃１１と、該外刃１１の内方に配設されて前記外刃１１の長手方向に沿って往復移動する内刃１３と、を備え、前記外刃１１は桟によって刃穴３６が画成され、前記刃穴３６に体毛を挿入させ、前記外刃１１と内刃１３で体毛を切断する電気かみそりである。前記外刃１１の桟に、外刃１１が肌面上を移動する際に体毛に当接して肌面に対して体毛を起立させる起毛部４５，７７，８５，８９，９３，１０５，１０９，１１７，１２５を設ける共に、前記外刃１１の領域のうち、外刃１１と肌面との接触圧が高い部位における前記体毛を起立させる起毛力を、接触圧が低い部位における起毛力よりも小さく設定している。
【００３８】
このように、肌面との接触圧が高い部位の起毛力を、接触圧が低い部位の起毛力よりも小さくすることにより、肌面との接触圧が高い部位が肌面に与える影響（ダメージ）を抑制することができる。
【００３９】
また、肌面との接触圧が低い部位については、肌面に与える影響がもともと低いため、起毛力を高めて効率的な起毛を行うことができる。
【００４０】
（２）前記桟は、前記外刃１１の長手方向に沿って延設される長手方向桟３１，３３，７１７９，８７，９１，１０３，１０７，１１５，１２７と、前記長手方向に交差する短手方向に沿って延設される短手方向桟３５とからなり、前記長手方向桟に起毛部を設けているため、外刃１１が網目状になり、体毛が刃穴１９に挿入しやすくなる。これによって、体毛を剃りやすくなるという効果がある。
【００４１】
（３）前記外刃１１は側面視逆Ｕ字状に湾曲して形成され、前記外刃１１と肌面との接触圧が高い部位は、その頂部２７であり、前記外刃１１と肌面との接触圧が低い部位は、前記頂部２７の短手方向外側の外側部２９であり、前記起毛部を、前記外刃１１の長手方向桟における短手方向の両端に形成している。
【００４２】
これによって、電気かみそり本体３を、前記短手方向の一方方向および他方方向のいずれの方向に移動させても、体毛を起立させることができるため、使用者の使い勝手が良好となるという効果がある。
【００４３】
（４）前記外刃１１の長手方向桟３１，３３における短手方向端を先細り状の起毛部４５に形成し、前記外刃１１と肌面との接触圧が高い部位における長手方向桟３１の短手方向端の曲率半径Ｒ１を、接触圧が低い部位における長手方向桟３３の短手方向端の曲率半径Ｒ２よりも大きく設定している。
【００４４】
これによれば、短手方向端を断面テーパ状（先細り形状）にして起毛部４５とすることで、簡素な形状で起毛部４５を形成することができる。また、肌面との接触圧が高い部位の短手方向端の曲率半径Ｒ１を、接触圧が低い部位の短手方向端の曲率半径Ｒ２よりも大きくすることにより、肌面との接触圧が高い部位が肌面に与える影響（ダメージ）をより確実に抑制することができる。
【００４５】
（５）前記長手方向桟３１，３３の表面を短手方向桟の表面よりも電気かみそり本体側に近づけることによって、前記長手方向桟３１，３３と短手方向桟３５とをオフセット配置させると共に、前記外刃１１と肌面との接触圧が高い部位における長手方向桟３１の短手方向端３９の表面と短手方向桟３５の表面３７との距離Ｌ１を、前記外刃１１と肌面との接触圧が低い部位における長手方向桟３３の短手方向端４３の表面と短手方向桟３５の表面３７との距離Ｌ２よりも大きく設定している。
【００４６】
これによれば、前記外刃１１と肌面との接触圧が高い部位における長手方向桟３１が肌面に与える影響（ダメージ）を抑制することができる。
【００４７】
（６）前記外刃１１と肌面との接触圧が高い部位における長手方向桟７１の短手方向端のテーパの開き角度β１を、接触圧が低い部位における長手方向桟７９の短手方向端のテーパの開き角度β２よりも大きく設定しているため、肌面との接触圧が高い部位が肌面に与える影響（ダメージ）を抑制することができる。
【００４８】
（７）前記長手方向桟３３における短手方向端を短手方向中央４９よりも電気かみそり本体から離間させた屈曲部４７を起毛部４５とすることにより、長手方向桟３３の全体の断面形状を略Ｕ字状に形成し、前記屈曲部４７の表面に短手方向５７に対する逃げ角αを設け、前記外刃１１と肌面との接触圧が高い部位における前記逃げ角（０°）を、前記外刃１１と肌面との接触圧が低い部位における前記逃げ角αよりも小さく設定している。
【００４９】
これによれば、肌面との接触圧が高い部位が肌面に与える影響（ダメージ）を抑制することができる。なお、接触圧が低い部位における逃げ角は例えば２０°が好ましく、接触圧が高い部位における逃げ角は例えば５°が好ましい。
【００５０】
（８）前記長手方向桟３３における長手方向端部６１は断面略直線状に形成し、長手方向中央部６３に前記屈曲部４７を設け、これらの長手方向端部６１と長手方向中央部６３との境界部７５をなだらかに湾曲させて連結させている。
【００５１】
このように、前記長手方向桟３３における長手方向端部６１と長手方向中央部６３との境界部７５をなだらかに湾曲させて連結させることにより、外刃１１を肌面上に沿って移動させたときに、前記境界部７５が肌面に与える影響（ダメージ）を抑制することができる。
【００５２】
（９）前記外刃１１と肌面との接触圧が高い部位における長手方向桟３１の短手方向端３９には逃げ角を設けず、接触圧が低い部位における長手方向桟３３の短手方向端４３に逃げ角αを設けているため、肌面との接触圧が高い部位における長手方向桟３１が肌面に与える影響（ダメージ）を更に確実に抑制することができる。
【００５３】
なお、本発明は、前述した実施形態に限定されず、本発明の趣旨に基づいて種々の変更が可能である。例えば、長手方向桟の先端部は、肌面に刺激を起こさないエッヂとして所定の曲率半径を有する円弧状に形成したが、先端部を多角形としても良い。この多角形は、特に鈍角に形成することが好ましい。
【００５４】
また、前記実施形態では、短手方向桟３５と長手方向桟３１との表面に高低差を設けたが、本発明はこれに限定されず、短手方向桟３５と長手方向桟３１との表面を同一高さに形成しても良い。
【符号の説明】
【００５５】
１  電気かみそり
３  電気かみそり本体
５  上側ハウジング（電気かみそり本体）
７  下側ハウジング（電気かみそり本体）
１１  外刃
１３  内刃
１７  第１の外刃（外刃）
１９  第２の外刃（外刃）
２１  第３の外刃（外刃）
２３  長手方向
２５  短手方向
２７  頂部
２９  外側部
３１  頂部側の長手方向桟
３３  外側部の長手方向桟
３５  短手方向桟
３６  刃穴
４６，７７，８５，８９，９３，１０５，１０９，１１７，１２５，  起毛部
４７  屈曲部
４９  短手方向中央
６３  長手方向中央
６５  境界部
７１  変形例１の長手方向桟
７９  変形例２の長手方向桟
９１  変形例３の長手方向桟
１０３  変形例４の長手方向桟
１０７  変形例５の長手方向桟
１１５  変形例６の長手方向桟
１２３  変形例７の長手方向桟
【図１】
0005453126.tif 000002
【図２】
0005453126.tif 000003
【図３】
0005453126.tif 000004
【図４】
0005453126.tif 000005
【図５】
0005453126.tif 000006
【図６】
0005453126.tif 000007
【図７】
0005453126.tif 000008
【図８】
0005453126.tif 000009
【図９】
0005453126.tif 000010
【図１０】
0005453126.tif 000011
【図１１】
0005453126.tif 000012
【図１２】
0005453126.tif 000013
【図１３】
0005453126.tif 000014
【図１４】
0005453126.tif 000015
【図１５】
0005453126.tif 000016
【図１６】
0005453126.tif 000017